(57)【要約】【課題】  任意の書式で作成されたデータを一括で登録できるようにする。【解決手段】  業務端末１のアップロード画面１１でアップロードが指示されると、入力されたデータファイル１２がゲートウェイサーバ２にアップロードされ、ミドルウェアプログラム２１を介してデータベース２２に記憶される。さらに記憶が完了するとミドルウェアプログラム２１から一括登録画面１３が送信される。そして一括登録が指示されるとミドルウェアプログラム２３が起動され、データベース２２に記憶されたデータファイルが順次読み出され、設定ファイル２４に従って書式が変換されて、アプリケーションサーバ３の業務アプリケーション３１に伝送される。このデータファイルの伝送は業務アプリケーション３１からの応答に従って行われる。そして全データファイルが正常に伝送されたときは、ミドルウェアプログラム２３から業務端末１に完了画面１４が送信される。【選択図】        図１
2006277586.tif 000002
【特許請求の範囲】
【請求項１】
任意の端末装置で作成されたデータファイルを所定のアプリケーションサーバに登録するためのデータファイル登録システムであって、
前記端末装置とアプリケーションサーバの間にゲートウェイサーバを設け、
前記ゲートウェイサーバには、
前記端末装置から一括してアップロードされるデータファイルをデータベースに一旦記憶する手段と、
前記データベースに記憶されたデータファイルの書式を前記アプリケーションサーバの機能に合せて変換する手段と、
前記変換されたデータファイルを順次前記アプリケーションサーバに登録する手段と
を有することを特徴とするデータファイル登録システム。
【請求項２】
前記データファイルの書式を変換する手段は、予め設定された設定ファイルに従って書式の変換を行う
ことを特徴とする請求項１記載のデータファイル登録システム。
【請求項３】
前記アプリケーションサーバに登録する手段は、前記アプリケーションサーバからの応答ごとに前記変換されたデータファイルの登録を行う
ことを特徴とする請求項１記載のデータファイル登録システム。
【請求項４】
前記アプリケーションサーバに登録する手段は、前記アプリケーションサーバへの登録が不具合となったときにエラーログの生成を行う
ことを特徴とする請求項１記載のデータファイル登録システム。
【請求項５】
端末装置とアプリケーションサーバの間に設けられ、
前記端末装置から一括してアップロードされるデータファイルをデータベースに一旦記憶する手段と、
前記データベースに記憶されたデータファイルの書式を前記アプリケーションサーバの機能に合せて変換する手段と、
前記変換されたデータファイルを順次前記アプリケーションサーバに登録する手段と
を備えることを特徴とするゲートウェイサーバ。
【請求項６】
前記データファイルの書式を変換する手段は、予め設定された設定ファイルに従って書式の変換を行う
ことを特徴とする請求項５記載のゲートウェイサーバ。
【請求項７】
前記アプリケーションサーバに登録する手段は、前記アプリケーションサーバからの応答ごとに前記変換されたデータファイルの登録を行う
ことを特徴とする請求項５記載のゲートウェイサーバ。
【請求項８】
前記アプリケーションサーバに登録する手段は、前記アプリケーションサーバへの登録が不具合となったときにエラーログの生成を行う
ことを特徴とする請求項５記載のゲートウェイサーバ。
【請求項９】
端末装置から一括してアップロードされるデータファイルをゲートウェイサーバのデータベースに一旦記憶する機能と、
前記データベースに記憶されたデータファイルの書式をアプリケーションサーバの機能に合せて変換する機能と、
前記変換されたデータファイルを順次前記アプリケーションサーバに登録する機能と
を実現するためのミドルウェアプログラム。
【請求項１０】
前記データファイルの書式を変換する機能は、予め設定された設定ファイルに従って書式の変換を行うための請求項９記載のミドルウェアプログラム。
【請求項１１】
前記アプリケーションサーバに登録する機能は、前記アプリケーションサーバからの応答ごとに前記変換されたデータファイルの登録を行うための請求項９記載のミドルウェアプログラム。
【請求項１２】
前記アプリケーションサーバに登録する機能は、前記アプリケーションサーバへの登録が不具合となったときにエラーログの生成を行うための請求項９記載のミドルウェアプログラム。
【発明の詳細な説明】
【技術分野】
【０００１】
本発明は、例えば営業担当者の端末装置から顧客のデータなどをアプリケーションサーバに一括登録する際に使用して好適なデータファイル登録システム、ゲートウェイサーバ及びミドルウェアプログラムに関する。詳しくは、端末装置において任意の書式で作成されたデータを、アプリケーションサーバの書式に合せて変換して一括で登録できるようにしたものである。
【背景技術】
【０００２】
従来のサーバシステムにおいては、伝送されるデータをゲートウェイサーバに蓄積し、回線切断等によりデータの伝送が未完了の場合には、そのデータを再伝送して伝送を完了させることが行われている（例えば、特許文献１参照。）。
【０００３】
すなわち、例えば営業担当者の端末装置から顧客のデータなどをアプリケーションサーバに一括登録する際に、特許文献１のサーバシステムによれば、回線切断等によりデータの伝送が途切れた場合にも途切れたデータの再伝送をしてくれるものである。
【特許文献１】特開平１１−３２８０６４号公報
【発明の開示】
【発明が解決しようとする課題】
【０００４】
例えば市町村の合併により顧客の住所の表示が変更された場合や、人事異動等によって顧客を受け持つ営業担当者が変更になったような場合には、それらの状況に応じて多数の顧客データを一時に修正する必要が生じる。そこで、それらの変更を必要とする顧客データをアプリケーションサーバ等からダウンロードし、ダウンロードした顧客データを営業担当者の端末装置等で修正し、修正されたデータファイルをアプリケーションサーバ等に再登録することが行われる。
【０００５】
ところがこのような顧客データの再登録を行う場合に、例えばアプリケーションサーバ内でのデータの形式は、後の処理等における利便性からいわゆる表形式にされている。これに対して端末装置でのデータには、表示等との関係から一般的にＨＴＬＭ（Hyper Text Markup Language）形式が用いられている。そこで、このようなＨＴＭＬ形式のデータをアプリケーションサーバ内の表形式に書き込むためには、一つ一つのデータファイルごとに処理を行う必要が生じる。
【０００６】
すなわち上記の方法では、修正された一つ一つのデータファイルごとに、例えばＨＴＭＬ形式の画面上に設けられる登録ボタンをクリックして、このデータファイルをアプリケーションサーバに伝送する。そして、アプリケーションサーバ上での処理の完了を待って次のデータファイルを開き、その画面上に設けられる登録ボタンを再度クリックして、このデータファイルをアプリケーションサーバに伝送する。そしてこのような手順を繰り返し行うことになるが、このような手順の繰り返しは極めて手間の掛るものである。
【０００７】
これに対して、端末装置側でアプリケーションサーバ内での形式に合せたデータの作成を行うことも可能である。しかしながらそのためには、各端末装置にそのようなデータの作成を行うためのクライアントソフトをインストールする必要があり、多数の端末装置にこのようなクライアントソフトをインストールすることは、極めて多くの手数が必要となって現実的ではない。また、データを修正する際にも、このときだけ特別な書式となるために、修正の作業も容易ではなくなる恐れがある。
【０００８】
なお、上記の背景技術で述べた特許文献１は、単にデータ伝送を行うための技術を開示しているだけのものであって、伝送されるデータの形式等は考慮されていない。従って、例えばＨＴＭＬ形式で入力された複数のデータファイルを、他の形式のアプリケーションサーバ等に一括して登録するような場合には適用されないものである。
【０００９】
この発明はこのような問題点に鑑みて成されたものであって、本発明の目的は、例えばＨＴＭＬ形式で入力された複数のデータファイルを、他の形式のアプリケーションサーバ等に一括して登録することができるようにするものである。
【課題を解決するための手段】
【００１０】
上記の課題を解決し、本発明の目的を達成するため、請求項１に記載された発明は、任意の端末装置で作成されたデータファイルを所定のアプリケーションサーバに登録するためのデータファイル登録システムであって、端末装置とアプリケーションサーバの間にゲートウェイサーバを設け、ゲートウェイサーバには、端末装置から一括してアップロードされるデータファイルをデータベースに一旦記憶する手段と、データベースに記憶されたデータファイルの書式をアプリケーションサーバの機能に合せて変換する手段と、変換されたデータファイルを順次アプリケーションサーバに登録する手段とを有することを特徴とするデータファイル登録システムである。
【００１１】
また、請求項２の記載によるデータファイル登録システムにおいては、データファイルの書式を変換する手段は、予め設定された設定ファイルに従って書式の変換を行うことを特徴とするものである。
【００１２】
請求項３の記載によるデータファイル登録システムにおいては、アプリケーションサーバに登録する手段は、アプリケーションサーバからの応答ごとに変換されたデータファイルの登録を行うことを特徴とするものである。
【００１３】
請求項４の記載によるデータファイル登録システムにおいては、アプリケーションサーバに登録する手段は、アプリケーションサーバへの登録が不具合となったときにエラーログの生成を行うことを特徴とするものである。
【００１４】
さらに、本発明の目的を達成するため、請求項５に記載された発明は、端末装置とアプリケーションサーバの間に設けられ、端末装置から一括してアップロードされるデータファイルをデータベースに一旦記憶する手段と、データベースに記憶されたデータファイルの書式をアプリケーションサーバの機能に合せて変換する手段と、変換されたデータファイルを順次アプリケーションサーバに登録する手段とを備えることを特徴とするゲートウェイサーバである。
【００１５】
また、請求項６の記載によるゲートウェイサーバにおいては、データファイルの書式を変換する手段は、予め設定された設定ファイルに従って書式の変換を行うことを特徴とするものである。
【００１６】
請求項７の記載によるゲートウェイサーバにおいては、アプリケーションサーバに登録する手段は、アプリケーションサーバからの応答ごとに変換されたデータファイルの登録を行うことを特徴とするものである。
【００１７】
請求項８の記載によるゲートウェイサーバにおいては、アプリケーションサーバに登録する手段は、アプリケーションサーバへの登録が不具合となったときにエラーログの生成を行うことを特徴とするものである。
【００１８】
さらに、本発明の目的を達成するため、請求項９に記載された発明は、端末装置から一括してアップロードされるデータファイルをゲートウェイサーバのデータベースに一旦記憶する機能と、データベースに記憶されたデータファイルの書式をアプリケーションサーバの機能に合せて変換する機能と、変換されたデータファイルを順次アプリケーションサーバに登録する機能とを実現するためのミドルウェアプログラムである。
【００１９】
また、請求項１０の記載によるミドルウェアプログラムにおいては、データファイルの書式を変換する機能は、予め設定された設定ファイルに従って書式の変換を行うためのものである。
【００２０】
請求項１１の記載によるミドルウェアプログラムにおいては、アプリケーションサーバに登録する機能は、アプリケーションサーバからの応答ごとに変換されたデータファイルの登録を行うためのものである。
【００２１】
請求項１２の記載によるミドルウェアプログラムにおいては、アプリケーションサーバに登録する機能は、アプリケーションサーバへの登録が不具合となったときにエラーログの生成を行うためのものである。
【発明の効果】
【００２２】
以上述べたように、本発明によれば、端末装置から一括してアップロードされるデータファイルをゲートウェイサーバのデータベースに一旦記憶し、データベースに記憶されたデータファイルの書式をアプリケーションサーバの機能に合せて変換し、変換されたデータファイルを順次アプリケーションサーバに登録することによって、例えばＨＴＭＬ形式で入力された複数のデータファイルを、他の形式のアプリケーションサーバ等に一括して登録することができる。
【発明を実施するための最良の形態】
【００２３】
以下、図面を参照して本発明を説明するに、図１は本発明によるデータファイル登録システム、ゲートウェイサーバ及びミドルウェアプログラムを適用した業務端末１からアプリケーションサーバ３にデータファイルを登録するシステムの一実施形態の構成を示すブロック図である。
【００２４】
図１において、業務端末１はいわゆるパーソナルコンピュータであって、ここにはディスプレイに表示される画面の変遷が付記されている。そこでこの業務端末１には、最初にアップロード画面１１が表示され、ここでアップロードが指示されると、入力されたデータファイル１２がゲートウェイサーバ２にアップロードされる。そしてゲートウェイサーバ２では、アップロードされたデータファイルがミドルウェアプログラム２１を介してデータベース２２に記憶される。
【００２５】
さらにデータファイルのデータベース２２への記憶が完了すると、ミドルウェアプログラム２１から業務端末１に一括登録画面１３が送信される。そこでこの一括登録画面１３にて業務端末１から一括登録が指示されると、ゲートウェイサーバ２でミドルウェアプログラム２３が起動される。そしてこのミドルウェアプログラム２３では、データベース２２に記憶されたデータファイルが順次読み出され、設定ファイル２４に従って書式が変換されて、アプリケーションサーバ３の業務アプリケーション３１に伝送される。
【００２６】
これによって、業務端末１で入力されたデータファイル１２がアプリケーションサーバ３に登録される。さらに業務アプリケーション３１では、伝送されたデータファイルが正常であるか否かの判断を行ってその応答をミドルウェアプログラム２３に戻しており、ミドルウェアプログラム２３では、この応答に従ってデータファイルの伝送が行われる。そして、全データファイルが正常に伝送されたときは、ミドルウェアプログラム２３から業務端末１に完了画面１４が送信される。
【００２７】
なお、業務端末１とゲートウェイサーバ２との間は、例えばインターネットのような、いわゆるＷＡＮ（Wide Area Network）によって接続され、この間のデータ伝送は例えばＨＴＭＬのような汎用のデータ形式を含めた形式で行われる。また、ゲートウェイサーバ２とアプリケーションサーバ３との間はいわゆるＬＡＮ（Local Area Network）によって接続され、この間のデータ伝送は、例えばアプリケーションサーバ３の業務アプリケーション３１に合せた任意の形式で行われる。
【００２８】
さらに図２を用いてミドルウェアプログラム２１を説明する。この図２で処理が開始されると、ステップＳ１でファイルアップロードの画面が業務端末１となるパーソナルコンピュータ（ＰＣ）に表示され、ステップＳ２でパーソナルコンピュータ（ＰＣ）からのデータが受け付けられる。さらにステップＳ３でデータの正当性がチェックされる。そしてステップＳ４で受け付けられたデータが正常か否か判断され、ここで正常のとき（はい）は、ステップＳ５で受け付けられたデータがデータベース２２に登録される。
【００２９】
また、ステップＳ６で受け付けられたデータが正常にデータベース２２に登録されたか否か判断され、ここでも正常のとき（はい）は、ステップＳ７でアップロード完了の画面が業務端末１となるパーソナルコンピュータ（ＰＣ）に表示される。これに対し、ステップＳ４、Ｓ６のいずれかが正常でないとき（いいえ）は、ステップＳ８でエラーの画面が業務端末１となるパーソナルコンピュータ（ＰＣ）に表示される。そしてこれらの表示が行われた後に、処理は終了される。
【００３０】
次に、図３を用いてミドルウェアプログラム２３を説明する。この図３で処理が開始されると、ステップＳ１１でファイル確認の画面が業務端末１となるパーソナルコンピュータ（ＰＣ）に表示される。そこでステップＳ１２で画面上の登録ボタンが押されると、以下の動作が開始される。
【００３１】
そこでステップＳ１３では、このステップＳ１３からステップＳ２６に至るループＡの始端が設定される。そしてステップＳ１４でデータベース２２から登録データが１件読み込まれる。次に、ステップＳ１５で、設定ファイル２４から業務アプリケーション３１の画面で最初に行われる登録ステップのデータフォーマットが取得される。
【００３２】
さらにステップＳ１６では、このステップＳ１６からステップＳ２２に至るループＢの始端が設定される。そしてステップＳ１７で業務アプリケーション３１の画面の登録ステップに合せて伝送データが生成される。さらにステップＳ１８で業務アプリケーション３１が起動され、生成された伝送データが伝送される。
【００３３】
以上の処理によって、業務アプリケーション３１へのデータの登録が行われる。そしてステップＳ１９で正常な応答が返ってきたか否か判断され、正常な応答が返ってきているとき（はい）は、さらにステップＳ２０で１件登録に必要な全登録ステップを終了したか否か判断される。ここで全登録ステップが終了していないとき（いいえ）は、ステップＳ２１で次の登録ステップのデータフォーマットが設定ファイル２４から取得されて、ステップＳ２２でステップＳ１６に戻される。
【００３４】
さらに、ステップＳ１９で正常な応答が返ってきていないとき（いいえ）は、ステップＳ２３でエラー情報をデータベース２２に登録する。また、ステップＳ２０で全登録ステップが終了しているとき（はい）は、ステップＳ２４で正常終了のステータスをデータベース２２に登録する。そしてステップＳ２５で全件を処理したか否か判断され、処理していないとき（いいえ）は、ステップＳ２６でステップＳ１３に戻される。また、ステップＳ２５で全件を処理していたとき（はい）は、処理が終了される。
【００３５】
このようにして、上述の実施形態によれば、業務端末１から一括してアップロードされるデータファイル１２をゲートウェイサーバ２のデータベース２２に一旦記憶し、データベース２２に記憶されたデータファイルの書式をアプリケーションサーバ３の機能に合せて変換し、変換されたデータファイルを順次アプリケーションサーバ３に登録するようにしたものであって、これによれば、例えばＨＴＭＬ形式で入力された複数のデータファイルを、他の形式のアプリケーションサーバ等に一括して登録することができる。
【００３６】
すなわち、上述の実施形態によれば、業務端末１からゲートウェイサーバ２へのアップロードはそのままデータベース２２に登録するので、そのための特別な処置や通信に負担を掛けることなく、良好に行うことができる。そして、ゲートウェイサーバ２からアプリケーションサーバ３への伝送は書式を変換しながら順次に行うことになるが、この処理はミドルウェアプログラム２３が自動的に行うので、特別な処置は不要となる。またこの伝送は任意の書式に変換されて行われるので、この通信の負担を軽減することができる。
【００３７】
こうして本発明によれば、例えば営業担当者の端末装置から顧客のデータなどをアプリケーションサーバに一括登録する際に、端末装置において任意の書式で作成されたデータを、アプリケーションサーバの書式に合せて変換して一括で登録できるようにしたことによって、極めて良好にデータファイルの一括登録を行うことができるものである。
【００３８】
さらに図４〜図１１には、上述の業務端末１のディスプレイに映出される表示画面の実施形態を示す。これらの図において、図４は処理選択の画面を示し、この画面には「（１）ファイルアップロードへ」、「（２）一括処理へ」、「（３）結果照会へ」の３つの選択肢が表示されている。なお、「（３）結果照会へ」は、本発明の請求範囲ではないので、詳細な説明は省略されている。そしてこの画面で「（１）ファイルアップロードへ」が選択されると、図５に示すファイルアップロードの画面に移行される。
【００３９】
図５のファイルアップロードの画面には、ファイル名を指定する欄が設けられ、一括登録用に事前作成したデータファイルの名称を指定して「実行」ボタンを押すことにより、業務端末１からゲートウェイサーバ２へデータファイルをアップロードする。なお、「参照」ボタンを押すと、ファイル選択のダイアログが立ち上がるので、そこからファイルを選択してもよい。そして、ゲートウェイサーバ２へのアップロードが完了した時点で、業務端末１には図６に示すようなアップロード完了のメッセージ画面が表示される。
【００４０】
この図６のアップロード完了の画面には「（１）ファイルアップロードへ」、「（２）一括処理へ」の選択肢が表示されている。ここで「（１）ファイルアップロードへ」が選択されると、図５のファイルアップロードの画面に戻される。これに対して「（２）一括処理へ」が選択されると、図７に示す一括処理ファイル選択の画面に移行される。この一括処理ファイル選択の画面には、すでにゲートウェイサーバ２へアップロードされているデータファイルのファイル名が一覧表示されているものである。
【００４１】
そしてこの図７の一括処理ファイル選択の画面で、左端の選択欄で選択が行われると、画面には「詳細」と「実行」の釦（図示せず）が表示される。ここで「実行」の釦が押されると、選択されたデータファイルのアプリケーションサーバ３への登録が開始される。また「詳細」の釦が押されると、図８に示すような一括処理ファイル選択（詳細）の画面に移行される。この一括処理ファイル選択（詳細）の画面には、アップロードされた詳細なデータの内容が表示され、これによりデータの内容を確認することができる。
【００４２】
さらに、図８の一括処理ファイル選択（詳細）の画面には、「戻る」と「実行」の釦が表示される。ここで「実行」の釦が押されると、選択されたデータファイルのアプリケーションサーバ３への登録が開始される。また「戻る」の釦が押されると、図７の一括処理ファイル選択（詳細）の画面に戻される。
【００４３】
そして、図７、図８の画面で「実行」の釦が押されると、図９に示すような一括処理受付完了の画面が表示される。この画面には「（２）一括処理へ」、「（３）結果照会へ」の選択肢が表示されている。ここで、「（２）一括処理へ」が選択されると、図７の一括処理ファイル選択の画面に戻され、この図７〜図９を繰り返すことにより、複数回の一括登録を行うことができる。
【００４４】
このようにして、端末装置から一括してアップロードされるデータファイルをゲートウェイサーバのデータベースに一旦記憶し、データベースに記憶されたデータファイルの書式をアプリケーションサーバの機能に合せて変換し、変換されたデータファイルを順次アプリケーションサーバに登録することができる。
【００４５】
そしてさらに、上述の図３のフローチャートでは、ステップＳ２３でエラー情報がデータベース２２に登録されている。このエラー情報は、例えば図９の「（３）結果照会へ」が選択されることにより、図１０に示すような結果紹介の画面として業務端末１となるパーソナルコンピュータ（ＰＣ）に表示することができる。
【００４６】
すなわち、図１０の結果紹介の画面には、図７の一括処理ファイル選択の画面と同様にアップロードされているデータファイルのファイル名が一覧表示されると共に、右側にその状態が表示されている。この状態は、「正常終了」「異常終了」「強制終了」のいずれかである。そして画面の下部には「結果照会（エラー詳細）」のボタンが設けられ、左端の選択欄で選択が行われてこのボタンが押されると、図１１に示すような結果照会（エラー詳細）の画面が表示される。
【００４７】
これによって、端末装置からアップロードされたデータファイルの修正を行うことができる。なお、想定されるエラーとその対応は以下の通りである。
【００４８】
１）サービス時間外／各オペレーションにおいて、実行ボタン等、各種ボタンを押下した時に、サービス時間外の場合は、エラーとなる。この場合は、サービス時間内に再度アップロードからオペレーションを行う。
２）データフォーマットが不正／作成したデータのフォーマットが正しくない場合は、エラーとなる。この場合は、データを再作成してアップロードからやり直す。
【００４９】
３）データサイズエラー／データが制限サイズを超えた場合は、エラーとなる。この場合は、データを分割し、再度アップロードから行う。
４）その他業務エラー／その他業務的なエラー(例:登録しようとした顧客が存在しない)により失敗した場合は、エラーとなる。この場合は、登録結果照会でエラーデータと理由を確認し、データを再作成して登録をやり直す。
【００５０】
こうして本発明のデータファイル登録システム、ゲートウェイサーバ及びミドルウェアプログラムによれば、端末装置から一括してアップロードされるデータファイルをゲートウェイサーバのデータベースに一旦記憶する手段と、データベースに記憶されたデータファイルの書式をアプリケーションサーバの機能に合せて変換する手段と、変換されたデータファイルを順次アプリケーションサーバに登録する手段とを有することにより、端末装置において任意の書式で作成されたデータを、アプリケーションサーバの書式に合せて変換して一括で登録できるものである。
【００５１】
また、本発明によれば、データファイルの書式を変換する手段は、予め設定された設定ファイルに従って書式の変換することにより、汎用性の高いシステムを構築することができるものである。
【００５２】
また、本発明によれば、アプリケーションサーバに登録する手段は、アプリケーションサーバからの応答ごとに変換することにより、アプリケーションサーバの機能には従来のシステムをそのまま利用することができ、システムの構築を容易に行うことができるものである。
【００５３】
また、本発明によれば、アプリケーションサーバに登録する機能は、アプリケーションサーバへの登録が不具合となったときにエラーログの生成することにより、エラーが生じた場合に対処も容易に行うことができるものである。
【００５４】
なお本発明は、上述の説明した実施形態に限定されるものではなく、本発明の精神を逸脱することなく種々の変形が可能とされるものである。
【図面の簡単な説明】
【００５５】
【図１】本発明によるデータファイル登録システム、ゲートウェイサーバ及びミドルウェアプログラムを適用したデータファイル登録システムの一実施形態の構成を示すブロック図である。
【図２】その動作の説明のためのフローチャート図である。
【図３】その動作の説明のためのフローチャート図である。
【図４】その説明のための表示画面の構成図である。
【図５】その説明のための表示画面の構成図である。
【図６】その説明のための表示画面の構成図である。
【図７】その説明のための表示画面の構成図である。
【図８】その説明のための表示画面の構成図である。
【図９】その説明のための表示画面の構成図である。
【図１０】その説明のための表示画面の構成図である。
【図１１】その説明のための表示画面の構成図である。
【符号の説明】
【００５６】
１…業務端末、２…ゲートウェイサーバ、３…アプリケーションサーバ、１１…アップロード画面、１２…データファイル、１３…一括登録画面、１４…完了画面、２１…ミドルウェアプログラム、２２…データベース、２３…ミドルウェアプログラム、２４…設定ファイル、３１…業務アプリケーション
【図１】
2006277586.tif 000003
【図２】
2006277586.tif 000004
【図３】
2006277586.tif 000005
【図４】
2006277586.tif 000006
【図５】
2006277586.tif 000007
【図６】
2006277586.tif 000008
【図７】
2006277586.tif 000009
【図８】
2006277586.tif 000010
【図９】
2006277586.tif 000011
【図１０】
2006277586.tif 000012
【図１１】
2006277586.tif 000013